(57)【要約】  植物のタネの状態から発芽・育苗などの生育の段階を経て収穫などに至るまでの過程を対象として、非接触・非破壊的な個体管理（ＩＤ情報管理など）が実現できる技術を提供する。本タグ（植物用ＩＣタグ）１は、アンテナ部３と、ＩＣチップ４と、それらを被覆する防水性の本体部２と、を有し、本体部２は、縦方向に伸びる軸部と、軸部から横方向に伸びる１つ以上の突起部５とを有し、突起部５は、植物のタネ１０を付着・保持させるタネ付着部６を有し、タネ１０の発芽と成長に伴い突起部５に根が絡みやすくした構造である。
2013145189.tif 000002
【特許請求の範囲】
【請求項１】
アンテナ部と、ＩＣチップと、それらを被覆する防水性の本体部と、を有し、
前記本体部は、縦方向に伸びる軸部と、前記軸部から横方向に伸びる１つ以上の突起部とを有し、
前記突起部は、植物のタネを付着・保持させるタネ付着部を有すること、を特徴とする植物用ＩＣタグ。
【請求項２】
請求項１記載の植物用ＩＣタグにおいて、
前記軸部の縦方向に対する前記突起部及びそのタネ付着部の位置は、
前記タネ付着部にタネが付着された状態で本植物用ＩＣタグが地中に植えられた際に地面から所定長さ下の位置になるように設計されており、
上記構成により、前記タネ付着部のタネが生育して上方に伸びる部分と下方に伸びる部分とがあるときに、それら生育の中間点に対して、前記突起部及びそのタネ付着部が位置するため、生育する植物に対して本植物用ＩＣタグの位置が保持されること、を特徴とする植物用ＩＣタグ。
【請求項３】
請求項１記載の植物用ＩＣタグにおいて、
前記突起部を複数有し、
前記軸部の縦方向に対する２つ以上の段の位置に前記突起部及びそのタネ付着部がそれぞれ設けられ、
前記タネ付着部にタネが付着された状態で本植物用ＩＣタグが地中に植えられた際に、タネが生育して下方に伸びる根の部分があるとき、前記複数の突起部及び軸部に対して根が絡むように設計された形状であること、を特徴とする植物用ＩＣタグ。
【請求項４】
請求項１記載の植物用ＩＣタグにおいて、
前記タネ付着部は、粘着剤または粘着性のテープで構成されること、を特徴とする植物用ＩＣタグ。
【請求項５】
請求項１記載の植物用ＩＣタグにおいて、
前記本体部は、前記軸部に、穴部を持つ頭部を有すること、を特徴とする植物用ＩＣタグ。
【請求項６】
請求項１記載の植物用ＩＣタグにおいて、
前記本体部に内蔵される前記アンテナ部は、前記軸部の縦方向に沿って長手形状で配置されること、を特徴とする植物用ＩＣタグ。
【請求項７】
請求項６記載の植物用ＩＣタグにおいて、
前記本体部の軸部は、前記突起部よりも上に、長い首部を有し、
前記首部に前記アンテナ部が配置されていること、を特徴とする植物用ＩＣタグ。
【請求項８】
請求項１記載の植物用ＩＣタグにおいて、
全体が平板状であること、を特徴とする植物用ＩＣタグ。
【請求項９】
請求項１記載の植物用ＩＣタグにおいて、
前記タネ付着部は、粘着剤を使用せず、分離された部品として構成され、
前記突起部及び前記タネ付着部は、両者の接続が可能なように切り込みが設けられた形状であり、前記突起部の切り込みと前記タネ付着部の切り込みとで互い違いに噛み合わせて両者の間に前記タネを挟み込んで保持可能とした構造であること、を特徴とする植物用ＩＣタグ。
【請求項１０】
植物用ＩＣタグの製造方法であって、
前記ＩＣタグは、アンテナ部と、ＩＣチップと、それらを被覆する防水性の本体部とを有し、前記本体部は、縦方向に伸びる軸部と、前記軸部から横方向に伸びる１つ以上の突起部とを有し、前記突起部は、植物のタネを付着・保持させるタネ付着部を有する構成であり、
熱可塑性材料によるシートの間に、前記アンテナ部とＩＣチップとを挟んだ状態でプレス加工して前記本体部の形状になるように熱融着する工程と、
前記突起部に前記タネ付着部を接続する工程と、を有すること、を特徴とする、植物用ＩＣタグの製造方法。
【発明の詳細な説明】
【技術分野】
【０００１】
本発明は、ＩＣタグの技術に関する。また、植物（作物）の生育（栽培）の技術に関する。
【背景技術】
【０００２】
各種分野・用途において、ＩＣタグ（ＲＦＩＤタグ等）が利用されている。【０００３】
植物の分野において、従来、生育した植物（あるいは収穫した作物）に札などを紐で括り付け（あるいはシール貼り付け等）、札に必要な情報を手書き等して情報管理することは行われていた。しかしながら、似通った植物名や目視では違いがわかりにくい植物の値札などに対して札を取り違える等の間違いが発生しやすく、個体管理は十分ではなかった。【０００４】
また、植物の分野において、ＩＣタグを利用する技術例として、収穫後の植物の個体に紐などでＩＣタグを取り付けて、流通や販売などの管理を行うことが可能である（トレーサビリティ管理）。【０００５】
上記植物の個体管理、トレーサビリティ管理に関する先行技術例としては、特開２０１１−２４８７４１号公報（特許文献１）、特開２００７−１３０００７号公報（特許文献２）などがある。【０００６】
特許文献１（「農作物トレーサビリティシステム」等）では、収穫後の穀物のように、農地から集荷倉庫・運搬機械・出荷先納入倉庫までをトレース・管理する旨の技術が記載されている。特許文献１では、「農作物トレーサビリティの仕組みは、最初のＩＤ付与が、農作物が保管庫や作業場所に運搬された後に付与され、また、穀物のようにばら荷で扱われる農作物にはＩＤ付与が困難なため、正しく対象とする農地から収穫されたものであるという保障が無かった」といった課題が記載されている。また、位置情報（ＧＩＳやＧＰＳ）を用いた機械（収穫機械など）のＩＤと地物（農地、倉庫など）のＩＤとの関係付け（農地と農作物との関係付け）について記載されている。【０００７】
特許文献２（「農産物の栽培履歴管理方法」）では、農作物（植物）の個体の遺伝子検定によって、栽培地域・栽培時期・栽培方法（栽培条件）を判定（識別・認証）し、栽培履歴管理を可能とする旨の技術が記載されている。
【先行技術文献】
【特許文献】
【０００８】
【特許文献１】特開２０１１−２４８７４１号公報
【特許文献２】特開２００７−１３０００７号公報
【発明の概要】
【発明が解決しようとする課題】
【０００９】
成育・収穫した植物を流通する段階では、ＩＣタグ等を用いた個体管理・トレーサビリティ管理が実現されている。しかしながら、植物の生育の段階では、植物の個体、即ちタネ（種）の状態やあまり生育していない苗などの状態の植物にＩＣタグを取り付けて管理することは、難しいため、個体管理・トレーサビリティ管理が十分に実現できていない。例えばタネよりもＩＣタグの方が大きく、タネにＩＣタグを取り付けることがしにくい等、タネや苗などにＩＣタグを取り付けてその状態を保持し続けることが難しい。また例えば、土に植えられたタネの近くにＩＣタグを配置したとしても、タネの発芽・成長の過程でＩＣタグとの位置関係が変動してしまい、位置関係が不明になってしまうと個体管理はできない。【００１０】
また、タネや苗の培地（用土）には水分などが含まれているため、電磁波を扱うＩＣタグを利用することが難しい。即ちＩＣタグとそのＩＤ情報などを読み書きするタグリーダライタ装置との間で電波が授受されるが、その電波が培地の水分などに吸収されることで応答性が下がるという不安定性がある。【００１１】
なお前記特許文献１のような技術では、１つのタネの発芽から収穫まで（生育段階）をトレース・個体管理することは難しい。また前記特許文献２のような技術では、ＩＣタグのように、瞬時、非接触、非破壊的に検出することはできない。【００１２】
以上を鑑み、本発明の主な目的は、植物のタネの状態から発芽・育苗などの生育の段階を経て収穫などに至るまでの過程を対象として、非接触・非破壊的な個体管理（ＩＤ情報管理など）が実現できる技術を提供することである。
【課題を解決するための手段】
【００１３】
本発明のうち代表的な形態は、ＩＣタグ等であって、以下に示す構成を有することを特徴とする。本形態のＩＣタグは、植物（作物）のタネの状態から発芽・育苗などの生育の段階を経て収穫などに至るまでの過程を対象として、非接触・非破壊的な個体管理（ＩＤ情報管理など）を実現する。【００１４】
本形態の植物用ＩＣタグは、アンテナ部と、ＩＣチップと、それらを被覆する防水性の本体部と、を有する。前記本体部は、縦方向に伸びる軸部と、前記軸部から横方向に伸びる１つ以上の突起部とを有する。前記突起部は、植物のタネを付着・保持させるタネ付着部を有する。【００１５】
また前記植物用ＩＣタグにおいて、前記軸部の縦方向に対する前記突起部及びそのタネ付着部の位置は、前記タネ付着部にタネが付着された状態で本タグが地中に植えられた際に地面から所定長さ下の位置になるように設計されている。上記構成により、前記タネ付着部のタネが生育して上方に伸びる部分と下方に伸びる部分とがあるときに、それら生育の中間点に対して、前記突起部及びそのタネ付着部の位置が滞在するため、生育する植物に対して本タグの位置が保持される。【００１６】
また前記植物用ＩＣタグにおいて、前記突起部を複数有し、前記軸部の縦方向に対する２つ以上の段の位置に前記突起部及びそのタネ付着部がそれぞれ設けられる。前記タネ付着部にタネが付着された状態で本タグが地中に植えられた際に、タネが生育して下方に伸びる根の部分があるとき、前記複数の突起部及び軸部に対して根が絡むように設計された形状である。
【発明の効果】
【００１７】
本発明のうち代表的な形態によれば、植物のタネの状態から発芽・育苗などの生育の段階を経て収穫などに至るまでの過程を対象として、非接触・非破壊的な個体管理（ＩＤ情報管理など）が可能となる。これにより、特に、植物の個体管理（ＩＤ情報管理など）に基づく、品種情報、施肥情報、気象情報、病虫害、薬剤散布情報などの情報管理による、精密な生育履歴管理など（生育方法・生育環境管理、生育段階を含む詳細なトレーサビリティ管理、精密農業など）が可能となる。
【図面の簡単な説明】
【００１８】
【図１】本発明の一実施の形態のタグ（植物用ＩＣタグ）の構成を示す図である。
【図２】（ａ）は本実施の形態のタグ（タネ付き）を土に植える際の状態を示し、（ｂ）は本実施の形態のタグ（タネ付き）を土に植えた後の状態を示す説明図である。
【図３】本実施の形態のタグに付着されたタネが発芽・生育した状態の例を示す説明図である。
【図４】本実施の形態のタグ（タネ付き）を土に植えた後における地面上から俯瞰したときの概略配置を示す説明図である。
【図５】本実施の形態のタグを接ぎ木の管理に利用した例を示す説明図である。
【図６】本実施の形態のタグの第１の変形例の構成を示す図である。
【図７】本実施の形態のタグの第２の変形例の構成を示す図である。
【図８】本実施の形態のタグの第３の変形例の構成を示す図である。
【発明を実施するための形態】
【００１９】
以下、本発明の実施の形態（植物用ＩＣタグ等）を図面に基づいて詳細に説明する。なお、実施の形態を説明するための全図において、同一部には原則として同一符号を付し、その繰り返しの説明は省略する。
【００２０】
本実施の形態のタグ１（図１）を用いることで、対象の植物をタネ１０の状態から生育する際（時期・工程・作業など）における個体管理（ＩＤ情報管理など）を実現する。即ち、タネ１０の段階から生育して収穫に至るまでの個体管理を実現する。詳しくは、施肥や農薬などを含む生育方法や生育環境の管理を含む精密な生育履歴管理などを実現できる。本実施の形態は、従来のようにタネにＩＣタグを括り付けるといった考え方ではなく、ＩＣタグにタネを付着させるという考え方である。
【００２１】
［（１）タグ構成］
図１に、本実施の形態のタグ１（植物用ＩＣタグ、タネ用ＩＣタグ）の構成例を示している。
【００２２】
（１）  タグ１は、本体部（被覆部）２と、アンテナ部３と、ＩＣチップ４と、タネ付着部７とを有する。
【００２３】
（２）  本体部２は、防水性（耐水性）であり、プラスチック等の材料で構成され、アンテナ部３及びＩＣチップ４を全体的に内蔵するように被覆している。本体部２は、構成要素として、縦方向の軸部を主として、頭部７（穴部８を含む）と、突起部５（タネ付着部６を持つ）と、先端部（足部）９とを有する。軸部は、アンテナ部３及びＩＣチップ４が縦方向で配置・内蔵されている。タグ１（本体部２）の外形として、土にタグ１を植えた際にタグ１の姿勢が保持されやすいように、本体部２（軸部）は概ね縦長の棒状（平板状）である。
【００２４】
（３，４）  アンテナ部３及びＩＣチップ４は、公知技術のＩＣタグ（ＲＦＩＤタグ等）を用いて構成可能である。本構成例では、アンテナ部３は、本体部２の縦長の軸部に沿って縦長で配置されている。またＩＣチップ４は、アンテナ部３の中心付近に配置されている。ＩＣチップ４は、メモリに少なくともＩＤ情報（個体管理に用いる識別子情報）が格納される。外部のタグリーダライタ装置（図２、３０）により、アンテナ部３を介して電波の通信が行れることで、タグ１（ＩＣチップ４）のＩＤ情報などが読み取り及び書き込み可能になっている。タグ１とタグリーダライタ装置（３０）との通信は、例えばマイクロ波帯またはＵＨＦ帯の電波が使用され、タグ１とタグリーダライタ装置（３０）とが離れた非接触状態で検出・識別（ＩＤ情報読み取り等）が可能である。
【００２５】
（５）  突起部５（腕部）は、本体部２の軸部に対して横方向へ広がるように出ている部分であり、１つのタグ１に対して１つ以上を備える。各突起部５には、タネ付着部６が接続される。本構成例では、図示のように、軸部に対して横方向に伸びる２つ組みの突起部５（及びタネ付着部６）を縦方向で３段で計６つを備える形状である。即ち全体的には矩形の櫛歯形状である。
【００２６】
突起部５（及びタネ付着部６）は、後述（図３）する根からみ用の機能を果たす。また突起部５（タネ付着部６）は、本構成例のように縦方向で２段以上存在する場合は、それらのどこにタネ１０を付着させるかによって、地面下（図２）のタネ１０の位置（Ｙ１）を選択・調整することができる。
【００２７】
（６）  タネ付着部６は、タネ（種子）１０を付着保持させる部分であり、例えば両面テープなど、粘着剤を使用した手段などで構成可能である。タグ１の使用の際には、図示のよう所望位置の突起部５のタネ付着部６にタネ１０が付着された状態となる。タネ付着部６の粘着材の粘着力は、タネ１０を付着・保持させるのに十分・最低限な力があればよい。また、タネ付着部６は、タネ１０をその位置に保持できる手段であれば、粘着剤などに限らず他の手段で構成してもよい。例えば、後述の変形例（図８）のように、突起部５とタネ付着部６を接続するときの２枚の接合部分がタネ１０を挟み込む構造で、挟み込みのバネ弾力でタネ１０を保持するような構成（手段）としてもよい。
【００２８】
本構成例では、突起部５に対するタネ付着部６の取り付け・取り外し（取り替え）が可能な構成である。タネ１０とＩＣタグ１（タネ付着部６）が分離が可能であり、タネ付着部６と突起部５（本体部２）が分離が可能である。これによりＩＣタグ１（本体部２）の再利用性が高い。例えばタグ１のタネ付着部６にタネ１０を付着させて植物の生育に使用した後、タグ１からタネ付着部６などを取り外すこと（必要に応じてＩＣチップ４の情報を書き替え等）により、タグ１の再利用が可能である。
【００２９】
（７，８）  頭部７は、成育者（作業者）が土２０（図２）へタグ１を植える（埋める、挿す）作業の時や土２０からタグ１を抜く作業の時に手に持つ部分として使える。また植えた際に地面２０の上に出て引っ掛かり留まる部分となる。また植えた後に地面２０におけるタグ１の所在を示す目印となる。またタネ１０付きのタグ１を地面２０に植える際にどの程度までタグ１を挿せばよいかの目安となる。
【００３０】
また、頭部７は、その穴部８に紐やゴムなどで任意の物（例えば管理用の札）を括り付けることに使える。また、頭部７は、その穴部８に紐などで生育対象（個体管理対象）の植物（タネ１０から生育した植物）との括り付け（固定）をする場合に使える。また、頭部７は、後述の接ぎ木などの際に使える。
【００３１】
（９）  先端部９は、タネ１０を付着したタグ１を土２０（図２）に植え込む際に挿し易いように、例えば尖った形状である。
【００３２】
タグ１の寸法は、例えばアンテナ部３の長さがＵＨＦ波帯用では１０ｃｍ程度、マイクロ波帯用では５ｃｍ程度を要し、これに頭部７や先端部９の所定の長さを加えた長さとすると好適である。更に詳細な寸法や形状などについては、適用対象のタネ１０（植物）の品種などに応じて、突起部５の数や間隔、大きさ・長さ等を設計したタグ１のバリエーションを用意して使い分けると好適である。
【００３３】
図１の構成では、タグ１は全体的には所定厚さの平板状であり、本体部２の軸部に対する複数の突起部５は同一角度（同一平面）で設けられている。
【００３４】
［（２）植え込み時］
図２に、対象植物の生育環境において、成育者（作業者）により、タネ１０を付着させたタグ１を土２０に植える作業・状態の例を示している。図２（ａ）は、タネ１０を付着させたタグ１を土２０に植える前、図２（ｂ）は、タネ１０を付着させたタグ１を土２０に植えた後の状態である。
【００３５】
図２（ａ）で、生育環境は、土（２０）、空気（ＣＯ２など）、水、光、肥料、農薬などの諸要素（諸条件）を含む。また生育環境は、露地、ハウス、施設などがある。２０は、地面、培地（用土）、施肥、苗床、ポットなどに相当する。なお図２（ａ）では、タグ１の複数の突起部５及びタネ付着部６のうち１つを使用して１つのタネ１を生育する例を示している。
【００３６】
図２（ｂ）で、土２０に植えられた後、タグ１の突起部５のタネ付着部６に付着されているタネ１０は、地面２０より少し下の位置（Ｙ１）にある。またこの状態で、地面２０の上空から、作業者がタグリーダライタ装置３０（ＲＷ）を使用（操作）することにより、タグ１との非接触・非破壊的な通信の発生によって、ＩＣチップ４に記憶されるＩＤ情報などを読み取り／書き込みが可能である。これによりタネ１０（対象植物及びその生育方法）の個体管理ができる。
【００３７】
タグ１（本体部２）が防水性であり、またタグ１が地表面（２０）の近く（植物の生え際）に配置されるため、上記タグリーダライタ装置３０でタグ１の情報を読み取る際には、通信の電波が土２０に含まれる水分などに吸収されにくく、安定的な通信が可能である。即ち個体管理がより確かになる。
【００３８】
上記のように、対象植物に応じて地面２０の少し下の所定の位置（Ｙ１）にタネ１０及び突起部５などが配置される。本タグ１は、このような配置に対応した好適な形状を有することが特徴の１つである。タネ付着部６にタネ１０が付着された状態で本タグ１が植えられた際に、地面２０から所定長さ下の位置（Ｙ１）になるように、タグ１の縦方向における突起部５及びタネ付着部６の位置などが設計されている。
【００３９】
なお図２（ｂ）では、タグ１の複数の突起部５のうち一部（１つ）のタネ付着部６が接続された状態で植えた場合を示している。タネ１０を付着させないタネ付着部６については、最初から取り付けないようにしてもよいし、取り外して使用してもよいし、そのまま使用して植えてしまってもよい。後述の図８ではタネ付着部６に関する変形例を示している。
【００４０】
［（３）生育時］
図３には、図２（ｂ）の状態から続いて、対象植物４０がある程度生育した状態を示している。タネ付着部６のタネ１０が発芽し、生育に伴い上方に芽・茎１１などが伸び、葉１３が生え、下方に根１２が伸びた状態を示している。ここで、元のタネ１０の位置（Ｙ１）から、上方に茎１１などが伸び、下方に根１２が伸びており、当該位置（Ｙ１）は成長の中間点である。生育に伴い、茎１１や根１２などが伸びる際の力がタグ１に対しても働くが、図示のような配置及びタグ１構造であるため、タネ１０の位置（Ｙ１）に対応した突起部５（タネ付着部６）は、地表面近く、植物４０の生え際であるその位置（Ｙ１）に滞在し続ける。即ちタグ１は植物４０の生育に伴い移動されにくく安定的に最初の位置（植物４０との位置関係）を保持する。このように配置が保持されるので、タグ１のＩＤ情報の読み取りが植物の生育に依存しにくく安定的な通信が可能であり、個体管理がより確かになる。
【００４１】
また、図示のように、タネ１０から成育して下方向に伸びる根１２は、タグ１の軸部及び突起部５に対して絡むように伸びる（「根からみ」「根がかり」）。このように、根からみ等が生じやすいように、本タグ１は突起部５などの形状が設計されている。即ち特に、複数（多段）の突起部５による櫛歯形状である。成育中、このように根からみ等が生じることで、植物４０とタグ１とが離れにくくなるので、植物４０とタグ１との位置関係が維持される（結び付きがより一層強くなる）。そのためタグ１のＩＤ情報の読み取りによる個体管理がより確かになる。
【００４２】
なお仮に生育中に図３のような根からみ状態があまり生じなかったとしても、前述のように植物４０の成長の中間点（生え際）にタグ１が滞在する作用があるため、植物４０とタグ１が概ね近くに配置され、位置関係が維持される。
【００４３】
［俯瞰］
図４には、地面２０上から植物４０及びタグ１の配置関係を俯瞰した概略を示す。中心の丸は、タネ１０や茎１１などの位置を示しており、その周りは葉１３を示している。タグ１（平板状）は、タネ１０・茎１１に対して近くの地面２０内（生え際）に配置されている。突起部５の横の長さは、例えば目標とするタネ１０・茎１１などとの距離（位置関係）に応じて設計した長さにすると好適である。
【００４４】
［各種利用方法］
本タグ１は対象植物の生育方法などに応じて各種の利用方法が可能である。図２，図３では、１つのタグ１に対して１つのタネ１０のみを付着させて植えた場合を示しているが、これに限らず、１つのタネ付着部６に２つ以上のタネ１０を付着させて植えてもよいし、複数のタネ付着部６にそれぞれタネ１０を付着させて植えてもよい。
【００４５】
例えば１つのタグ１に複数のタネ１０を付着させて生育し、生育状況に応じて生育植物の間引き（質のよい１つを残す等）が行われるといった生育方法が可能である。その際の個体管理としては、それら複数のタネ１０に対し１つのタグ１の１つのＩＤが関係付けられる。
【００４６】
［生育作業（植物生育方法）］
本タグ１を用いた生育作業（植物生育方法）の例は以下である。下記の工程により、対象植物の生育時の個体管理を行う。
【００４７】
（１）  成育者（作業者）により、タグ１のタネ付着部６に対象のタネ１０を付着させる。
【００４８】
（２）  成育者により、タネ１０付きのタグ１を培地２０に植える。頭部２の位置などを目安に、地面２０に対し所定の深さまでタグ１を挿す。これによりタネ１０が所定の位置（Ｙ１）に配置される。
【００４９】
（３）  成育者により、適宜、タグリーダライタ装置３０を用いて、タグ１（ＩＣチップ４）に記憶されているＩＤ情報などのデータ情報を読み書きすることにより、個体識別・確認ができる。
【００５０】
（４）  更に、成育者により、上記タグリーダライタ装置３０の読み取り情報を用いて、コンピュータ（タグリーダライタ装置３０と連携）のアプリケーションなどの画面において、各種の生育情報を入力・参照可能としてもよい。例えば、対象植物４０（タネ１０）のＩＤに対して、品種情報、施肥情報、気象情報、病虫害、薬剤散布情報などが関係付けられてデータベースに格納され、生育履歴管理を行う。
【００５１】
［タグ製造方法］
本タグ１の製造方法としては以下である。製造工場において、例えばプラスチック等の熱可塑性材料のシートでアンテナ部３及びＩＣチップ４を挟み込む工程と、その状態で本体部２の所定の外形形状になるように、プレス加工して熱融着（加熱・冷却）する工程とを有し、これによりタグ１（本来部２）の外形が形成される。更に、突起部５にタネ付着部６を取り付ける工程などを設ける。
【００５２】
更に、対象植物にも依るが、製造工場でタグ１のタネ付着部６にタネ１０を付着させる工程などを設けてもよい。そして、そのタネ１０付きのタグ１をパッケージとして提供（販売）する。成育者はそのパッケージをそのまま土２０に植えることができる。
【００５３】
また他の製造方法としては、矩形形状などのＩＣタグを準備し、図１のタグ１（本体部２）の外形になるように切断加工する工程を有する製造方法なども可能である。
【００５４】
［接ぎ木］
図５には、本タグ１の利用例として、接ぎ木の管理の場合を示す。接ぎ木とは、２つ以上の植物個体（台木，穂木（接木））を人為的な切断面で接着して１つの植物個体にすることであり、各種の目的で行われている。例えばメロンやスイカ、トマトなどの接ぎ木がある。
【００５５】
図５で、第１の植物（台木）４１は、第１のタグ１Ａで個体管理されてある程度生育されたものであり、第２の植物（穂木）４２は、第２のタグ１Ｂで個体管理されてある程度生育されたものである。そして、これら２つの植物（４１，４２）が４３に示すように切断面で接ぎ木される。このような接ぎ木の場合に、台木４１と穂木４２との品種管理などを、本タグ１（１Ａ，１Ｂ）を用いて非接触で行うことができる。
【００５６】
なお図５に示すように、対象植物・生育方法に応じて、接ぎ木の作業の際にタグ１の頭部２の穴部３に植物の茎などを通すようにしてもよいし、前述のように茎１１などと穴部３とで紐などで括り付けするようにしてもよい。そのような物理的な括り付け（固定）によって対象植物とタグ１とを関係付けることで、個体管理をより確かにできる。なお穂木４２側については、図示のようにそのタグ１Ｂがその穂木４２と括り付け（関係付け）されているのであれば、そのタグ１Ｂを土２０から抜いた状態としてもよい。
【００５７】
従来の接ぎ木の場合、接ぎ木される２つの植物の個体管理及びその組合せの管理はできていないが、本実施の形態のタグ１を利用することで、接ぎ木の場合の個体管理が可能となる。例えば台木４１と穂木４２がそれぞれどの品種でありどのような生育履歴であるか、及び、それらの組合せで接ぎ木して１つにした植物の状態（属性）などを、精密に把握可能である。
【００５８】
［変形例］
上記実施の形態のタグ１の変形例として以下が挙げられる。
【００５９】
（１）  図６には、タグ１の第１の変形例（１ａ）を示す。１ａは、突起部５（タネ付着部６）を２つ（１段のみ）とし、またその横方向を長くした場合である。この場合、前述の根からみの度合いは下がるが、前述同様に所定の位置（Ｙ１）でタグ１を滞在させる効果は十分にある。また１つのタネ付着部６を広くすることで複数のタネ１０を付着させやすくなる。
【００６０】
（２）  図７には、タグ１の第２の変形例（１ｂ）を示す。１ｂは、頭部２と突起部５との間の首部を長くした形状であり、その首部の内部にアンテナ部３などが配置された構造である。これにより、タグ１を植えた時に地面２０から出る部分の長さが長く、内部のアンテナ部３が地面２０より上に出る部分の長さを増やした構成である。これにより、タグリーダライタ装置３０による情報読み書きの際に、電波の通信が地面２０より上の部分で行われる度合いが高いため、電波が吸収されにくく、通信の安定性が上がる。
【００６１】
（３）  また、他の変形例として、前述の頭部２（穴部３）を無くし、地面２０から上に出る部分を少なくした構成としてもよい。植物の生育の過程や作業において、タグ１の地面２０から上に出る部分が少ない方がよい場合には有効である。
【００６２】
また例えば、頭部２を地面２０に平行になる形状としてもよいし、そのような平行な状態にできるように頭部２を折り曲げ可能な構成としてもよい（図４のように俯瞰で見たときに丸い頭部２が見える形）。
【００６３】
また例えば、タグ１の本体部２（軸部）に目盛りを入れておき、タネ１０付きのタグ１を地面２０に植える際にどの目盛りの位置まで指すと丁度良いかがわかるようにしてもよい。これにより地面２０下のタネ１０の位置（Ｙ１）を、好適な位置へと調整・保持することができる。
【００６４】
また例えば、タグ１は、全体的な平板形状に限らず、複数の突起部５を軸部に対して回転角度をつけて設けてもよい。例えば植えたときの姿勢の安定性や、根がらみの度合い等を考慮した形状である。
【００６５】
また例えば、突起部５及びタネ付着部６を無くした構成も可能である。この場合は、突起部５及びタネ付着部６を用いた対象植物（タネ１０）との位置関係保持はできないが、頭部７（穴部８）を利用して対象植物との括り付けを行うことで個体管理が可能である。
【００６６】
（４）  図８には、タグ１の第３の変形例（１ｃ）を示す。本構成（１ｃ）は、図１のタグ１の突起部５とタネ付着部６との取り付けに関する構造例であり、タネ１０の保持を、粘着剤によらずに機械的なバネ保持の構造で可能とする例である。タネ１０は、タネ付着部６と突起部５とで挟まれて保持される。タネ付着部６には、前述のような粘着剤は塗布されていない（なお塗布された形態も可能である）。突起部５とタネ付着部６とが分離できるため、タグ１ｃをリサイクルしようとしたとき、タネ付着部６の部分のみを消耗品として交換可能である。１ｃで、突起部５及びタネ付着部６は、プラスチック等の可撓性（力を加えればたわむ性質）の材料で構成される部品である。タネ付着部６と突起部５は、図示のようにそれぞれ切り込みが設けられており、両者の接続（取り付け）の際にそれら切り込みで互い違いになるように噛み合わせる。接続時、例えば図示する３つの山（凸）のうち、突起部５の上下の凸とタネ付着部６の中間の凸とが例えば表側になり、突起部５の中間の凸とタネ付着部６の上下の凸とが反対（裏）側になる。そして例えばその両者（５，６）の中間の凸の表裏面の間にタネ１０を挟み込むように配置（付着）させる。これにより、その位置でタネ１０を保持することができる。
【００６７】
［収穫以降］
上記植物の生育後の収穫や流通の段階については以下である。生育段階のみでの個体管理を行う場合、例えば収穫・集荷時には植物４０からタグ１（括り付け状態）を取り外す作業がされる。取り外されたタグ１が再利用可能である。
【００６８】
また収穫後も継続して個体管理・トレースを行う場合は、例えばタグ１が括り付けられたまま植物４０を収穫・集荷等してもよいし、生育段階で個体管理済みのＩＤ情報などのデータ情報を、流通段階のトレーサビリティ管理システム等へ引き継ぐように連携・提供してもよい。
【００６９】
更に、ＩＤ情報を苗木販売時点の価格（値札）と関連付けることも可能であり、苗の段階では判断の付かない品種（例えばシシトウとトウガラシの区別など）の精度の高い識別が可能となる。
【００７０】
［効果等］
以上説明したように、本実施の形態のタグ１によれば、対象の植物４０のタネ１０の状態から発芽・育苗などの生育の段階を経て収穫などに至るまでの過程を対象として、非接触・非破壊的な個体管理（ＩＤ情報管理など）が可能となる。これにより、特に、植物４０の個体管理（ＩＤ情報管理など）に基づく、品種情報、施肥情報、気象情報、病虫害、薬剤散布情報などの情報管理による、精密な生育履歴管理など（生育方法・生育環境管理生育段階を含む詳細なトレーサビリティ管理、精密農業など）が可能となる。接ぎ木による品種改良などの管理も可能である。
【００７１】
従来は、種蒔きの作業で、タネが小さい場合、例えば苗床（ポット等）にピンセットでタネを植えている。この場合、例えばタネよりもＩＣタグの方が大きいので、タネにＩＣタグを結び付けて個体管理することは難しかった。また、タネ、苗床、札などの関係付けの間違い（取り違え等）が起こり易かったので、個体管理が難しかった。これに対し、本タグ１を用いれば、小さいタネ１０を付着させて植えることで、個体管理が容易に実現できる。また本タグ１は、前述のように効果的な形状などが設計されているので、成育者（作業者）は個体管理のための作業がしやすい（作業負荷が少ない）。
【００７２】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００７３】
本発明は、植物の生育（栽培）の管理技術として利用可能である。
【図１】
2013145189.tif 000003
【図２】
2013145189.tif 000004
【図３】
2013145189.tif 000005
【図４】
2013145189.tif 000006
【図５】
2013145189.tif 000007
【図６】
2013145189.tif 000008
【図７】
2013145189.tif 000009
【図８】
2013145189.tif 000010
【国際調査報告】
2013145189.tif 000011
2013145189.tif 000012
2013145189.tif 000013
2013145189.tif 000014